(57)【特許請求の範囲】
【請求項１】
素線径０.５ｍｍ以下の極細線を巻回した後、素線を異形に捩り加工して本体が船底型をなすロッド状に成形された不安定形状のコイルを梱包するコイル梱包材であって、
一面に前記コイルの船底型の形状に合致する複数条の凹部を有し、他面に前記各凹部にそれぞれ嵌合可能な複数条の突出部を有する、パレット状に成形された保持部材の複数個からなることを特徴とするコイル梱包材。
【請求項２】
前記コイルは素線径０.５ｍｍ以下の極細線を巻回した後、素線を異形に捩り加工された本体と前記本体の一端に突出した端子部とから構成されており、
前記保持部材は前記コイルの本体を前記凹部内に収納した状態で複数個を積層したとき、積層した他の保持部材の突出部が前記凹部内に嵌入して前記コイル本体を押圧するように発泡プラスチックにより構成されたものであることを特徴とする請求項１記載のコイル梱包材。
【請求項３】
前記保持部材に、前記コイルの端子部を折り曲げた状態で収納しうる空間が前記凹部に連通して設けられたことを特徴とする請求項２記載のコイル梱包材。
【請求項４】
前記保持部材に、前記コイルの端子部を挿通しうる挿通溝が前記空間に連通して設けられたことを特徴とする請求項２又は３記載のコイル梱包材。
【発明の詳細な説明】
【０００１】
【発明の属する技術分野】
本発明は、不安定形状の船底型コイル製品を出荷するとき、あるいは同コイルの製造過程において半製品状態で運搬、保管するときに使用するのに好適なコイル梱包材に関する。
【０００２】
【従来の技術および発明が解決しようとする課題】
例えば、素線径０.５ｍｍ以下の極細線を巻回した後、船底型をなすロッド状に加工されてなるコイルは、不安定形状、すなわち素線に微妙な捩り等が加えられて船底型ロッド状に成形され素線が外力により崩れ易い形状であるため、運搬、保管時の形状保持がきわめて難しい製品である。
【０００３】
従来、このような不安定形状のコイル製品を梱包する場合は、ビニル類あるいは紙類のシート材により製品を、注意深くかつ丁寧に包み込んでその形状をある程度保持できるよう包装し、さらに、運搬時には包装されたコイル製品を、外部からの打撃、衝撃に耐え得るようにダンボール箱に緩衝材を介在しながら梱包していた。
【０００４】
上記した梱包手段は、梱包材（緩衝材含む）の種類、量および作業工数が多く、また形状の安定保持が確実に行い得ないという難点があった。また製造過程でも運搬、保管することを考えると実際には形状の安定保持が不可能である。
【０００５】
【課題を解決するための手段】
本発明は、上記の課題を解決するために、形状不安定なコイル製品を安定した形状保持を行うと共に、梱包作業を簡略化しうるコイル梱包材を提供することを目的とする。
すなわち、この目的を達成する本発明のコイル梱包材は次の構成である。
【０００６】
＜構成１＞
一面に梱包すべきコイルの形状に合致する凹部を有し、他面に前記凹部に嵌合可能な突出部を有する保持部材の複数個からなることを特徴とするコイル梱包材。
【０００７】
＜構成２＞
構成１記載のコイル梱包材において、前記コイルが細い線材を巻回した後、不安定形状に成形された本体と前記本体の一端に突出した端子部とから構成されており、前記保持部材は前記コイル本体を前記凹部内に収納した状態で複数個を積層したとき、積層した他の保持部材の突出部が前記凹部内に嵌入して前記コイル本体を押圧するように構成されたものであることを特徴とするコイル梱包材。
【０００８】
＜構成３＞
構成２記載のコイル梱包材において、前記保持部材に、前記コイルの端子部を折り曲げた状態で収納しうる空間が前記凹部に連通して設けられたことを特徴とするコイル梱包材。
【０００９】
＜構成４＞
構成２又は３に記載のコイル梱包材において、前記保持部材に、前記コイルの端子部を挿通しうる挿通溝が前記空間に連通して設けられたことを特徴とするコイル梱包材。
【００１０】
【発明の実施の形態】
以下、本発明のコイル梱包材における実施の形態例について図面を参照して説明する。
図１は本発明の一実施例を示している。同図において、本発明のコイル梱包材は、積層可能な複数個の保持部材１によって構成されている
【００１１】
保持部材１は、発泡スチロールにより、一面に、梱包すべきロッド状のコイル２の形状に合致する複数条の凹部３を、また他面に、各凹部３にそれぞれ嵌合可能な複数条の突出部４をそれぞれ備えたパレット状に成形されている。
複数条の各凹部３および突出部４は、それぞれ並列に設けられ、かつ複数の保持部材１を積層したとき、各凹部３に、隣接する他の保持部材１の各突出部４がそれぞれ嵌合するように配列されている。
保持部材１が上記のような各凹部３および突出部４を備えていることにより段積み時にコイル製品を動かないように押さえ付けるようになり、形状保持を確実に行うことになる。
【００１２】
梱包すべきコイル２は、素線径０.５ｍｍ以下の極細線を巻回した後、素線に微妙な捩り等が加えられて図２に示したように、本体２ａが船底型をなすロッド状に成形され、さらに本体の一端に２本の端子部２ｂを突出したものである。このコイル２は、極細線を異形に捩り加工したことから、不安定形状であり運搬、保管時の形状保持がきわめて難しいものである。
【００１３】
保持部材１に、コイルの端子部２ｂを適当な曲率で折り曲げた状態で収納しうる空間６ａ、６ｂが設けられている。
空間６ａ、６ｂは、保持部材１における凹部３の長さ方向の両側に設けられて凹部３に連通しているが、保持部材１の中央部を境にして半数ずつのコイル本体を、各突出部４を互いに逆向きに折り曲げて収納できるように設けられている。すなわち、空間６ａ、６ｂは半数ずつのコイル本体を、同方向に折り曲げられた各突出部４どうしを束にして収納する側が幅広く形成されている。
また、保持部材１に、コイルの端子部２ｂを挿通しうる挿通溝７が、各凹部３に対応した位置に設けられている。これらの挿通溝７も空間６ａ、６ｂに連通している。
【００１４】
保持部材の材料としては、発泡スチロールの他に、発泡ポリエチレン、発泡ポリプロピレン等の発泡プラスチック、あるいはその他の、コイルを損傷させず耐久性がある材料が好ましく、また帯電防止材料であればさらに好適である。
【００１５】
上記のように構成された保持部材１は使用時、各凹部３にコイル２の本体を収納し、各端子部２ｂを適当な曲率で折り曲げた状態で空間６ａ、６ｂ内に収納するか、もしくは各端子部２ｂを折り曲げずに挿通溝７に挿通させて外部に突出するようにする。各端子部２ｂを折り曲げずに挿通溝７から外部に突出するようにした場合は、コイル製造過程での移動の際、コイル本体を取出すことなく、各端子部２ｂの端末加工、電気検査等を実施することができる。このため、コイル本体の変形や損傷を防止することができ、歩留まりの向上に貢献しうる。
なお、コイル製造過程での移動中、各端子部２ｂを外部に露出した状態で保持部材１の積み重ねが可能である。
【００１６】
なお、上記実施例では、空間６ａ、６ｂを保持部材１の両側に設けることにより、半数ずつのコイル本体の各両端部２ｂが逆方向に折り曲げて収納して各端子部２ｂどうしが重なり合わないようにして収納、取出しを容易にするようにしたが、本発明においてはこれに限定されない。すなわち、空間６ａ、６ｂを保持部材１の片側のみに設けることにより、コイル本体の各両端部２ｂが一方向に並ぶことになり運搬作業が行い易いという利点がある。
【００１７】
【発明の効果】
本発明のコイル梱包材によれば、コイル本体が凹部内に収納された状態で、複数個の保持部材を積層したとき、積層される他のコイル梱包材の突出部により各コイル本体が押圧されることから、型崩れし易いコイル製品の運搬、保管時における形状保持が確実に行われる。また、梱包が簡単であり、また保持部材の寸法大きさを適宜選択すれば市販の標準棚に段重ねすることが可能であることから、作業効率、数量管理が著しく向上する。
【図面の簡単な説明】
【図１】本発明のコイル梱包材の一実施例を示す図で、（ａ）はコイル梱包材の平面図、（ｂ）はそのＡ−Ａ線に沿う断面図である。
【図２】不安定形状のコイル製品を示す斜視図である。
【図３】本発明のコイル梱包材を説明するための保持部材とコイル製品の各一部の分解斜視図である。
【符号の説明】
１    保持部材
２    コイル
３    凹部
４    突出部
６ａ、６ｂ  空間
７    挿通溝
【図１】
0003932162.tif 000002
【図２】
0003932162.tif 000003
【図３】
0003932162.tif 000004